(57)【要約】【課題】夜間など周囲が暗い時でも、スイッチを操作する操作部材の位置が容易に確認できる計器装置を提供する。【解決手段】可動部１３を有するスイッチ１４と、表示部６を有する表示板７と、この表示板７の前方側に配置され貫通孔１０を有する透光性の前面板１１と、可動部１３を操作する操作部材１５と、表示部６を照明する表示板用発光ダイオード１７（光源）とを備え、操作部材１５は、貫通孔１０に挿通され前面板１１の前方側に延びる操作部２５と、表示板用発光ダイオード１７からの光を受光する受光部２６と、この受光部２６から入射した光を操作部２５側に導く導光部２７と、この導光部２７内を導かれた光を貫通孔１０の周囲に出射させる出射部２９とを有する。【選択図】図１
2009079971.tif 000002
【特許請求の範囲】
【請求項１】
可動部を有するスイッチと、このスイッチの前方側に配置され貫通孔を有する透光性の前面板と、前記可動部を操作する操作部材と、光源とを備え、前記操作部材は、前記貫通孔に挿通され前記前面板の前方側に延びる操作部と、前記光源からの光を受光する受光部と、この受光部から入射した光を前記操作部側に導く導光部と、この導光部内を導かれた光を前記前面板の後面側から前記貫通孔の周囲に出射させる出射部とを有することを特徴とする計器装置。
【請求項２】
可動部を有するスイッチと、このスイッチの前方側に配置され表示部を有する表示板と、この表示板の前方側に配置され貫通孔を有する透光性の前面板と、前記可動部を操作する操作部材と、前記表示部を照明する光源とを備え、前記操作部材は、前記貫通孔に挿通され前記前面板の前方側に延びる操作部と、前記光源からの光を受光する受光部と、この受光部から入射した光を前記操作部側に導く導光部と、この導光部内を導かれた光を前記前面板の後面側から前記貫通孔の周囲に出射させる出射部とを有することを特徴とする計器装置。
【請求項３】
前記前面板は、前記貫通孔周囲の前方に突出するリング状の装飾部を有しており、前記出射部から出射した光によって前記装飾部が発光してなることを特徴とする請求項１または請求項２に記載の計器装置。
【請求項４】
前記前面板は、前記貫通孔周囲の後方に突出するリング状受光部を有しており、前記出射部から出射しこのリング状受光部から入射した光によって前記貫通孔の周囲が発光してなることを特徴とする請求項１から請求項３の何れかに記載の計器装置。
【請求項５】
前記操作部が暗色系で不透過性の材料からなることを特徴とする請求項１から請求項４の何れかに記載の計器装置。
【請求項６】
前記導光部は周囲に遮光部を有することを特徴とする請求項１から請求項５の何れかに記載の計器装置。
【発明の詳細な説明】
【技術分野】
【０００１】
本発明は、計器装置の内部に配置されたスイッチを計器装置の外部から操作する操作部材を備えた計器装置に関するものである。
【背景技術】
【０００２】
一般に、車両用の計器装置には走行距離や外気温，時刻などの情報を表示する表示部を有する表示手段が備えられている。そして、これらの表示部は計器装置の前方側に突出した操作部材を操作することによって、表示切り替え可能となっており、この種の計器装置として、例えば下記特許文献１に記載のものが知られている。
【０００３】
特許文献１に記載の計器装置は、指針式の速度計および回転計と、車両の走行距離や燃料消費量，外気温，時刻などの情報を表示する液晶表示素子Ｄ３と、この液晶表示素子Ｄ３の表示情報をユーザーの操作に応じて切り替える操作シャフト１２（操作部材）などを備えており、操作シャフト１２は、見返し部材８および透視パネル９を貫通して透視パネル９の前方側に突出している。そして、この操作シャフト１２の先端を押圧操作することによって、回路基板５に設けられたスイッチ素子１１が作動して液晶表示素子Ｄ３に表示される表示部の切り替えが行われるというものである。
【特許文献１】特開２００３−２００７５６号公報
【発明の開示】
【発明が解決しようとする課題】
【０００４】
しかしながら、特許文献１に記載の計器装置に於いては、特に夜間時に操作シャフト１２（操作部材）を操作しようとしても操作シャフト１２が視認しづらく、スムーズな操作ができないという問題があった。
【０００５】
本発明はこの様な点に鑑みなされたもので、夜間など周囲が暗い時でも、スイッチを操作する操作部材の位置が容易に確認できる計器装置を提供することを目的とする。
【課題を解決するための手段】
【０００６】
本発明は前記目的を達成するため、可動部を有するスイッチと、このスイッチの前方側に配置され貫通孔を有する透光性の前面板と、前記可動部を操作する操作部材と、光源とを備え、前記操作部材は、前記貫通孔に挿通され前記前面板の前方側に延びる操作部と、前記光源からの光を受光する受光部と、この受光部から入射した光を前記操作部側に導く導光部と、この導光部内を導かれた光を前記前面板の後面側から前記貫通孔の周囲に出射させる出射部とを有するものである。
【０００７】
また、可動部を有するスイッチと、このスイッチの前方側に配置され表示部を有する表示板と、この表示板の前方側に配置され貫通孔を有する透光性の前面板と、前記可動部を操作する操作部材と、前記表示部を照明する光源とを備え、前記操作部材は、前記貫通孔に挿通され前記前面板の前方側に延びる操作部と、前記光源からの光を受光する受光部と、この受光部から入射した光を前記操作部側に導く導光部と、この導光部内を導かれた光を前記前面板の後面側から前記貫通孔の周囲に出射させる出射部とを有するものである。
【０００８】
また、前記前面板は、前記貫通孔周囲の前方に突出するリング状の装飾部を有しており、前記出射部から出射した光によって前記装飾部が発光してなるものである。
【０００９】
また、前記前面板は、前記貫通孔周囲の後方に突出するリング状受光部を有しており、前記出射部から出射しこのリング状受光部から入射した光によって前記貫通孔の周囲が発光してなるものである。
【００１０】
また、前記操作部が暗色系で不透過性の材料からなるものである。
【００１１】
また、前記導光部は周囲に遮光部を有するものである。
【発明の効果】
【００１２】
夜間など周囲が暗い時でも、スイッチを操作する操作部材の位置が容易に確認できる計器装置を得ることができる。
【発明を実施するための最良の形態】
【００１３】
本発明を、例えば車両に備えられる計器装置を実施形態として説明する。図１は、本発明の第１実施形態を示す計器装置の部分断面図であり、図２は、同計器装置の要部詳細断面図である。
【００１４】
計器装置は、硬質な回路基板１と、この回路基板１の裏面側に回路基板１と導通状態で装着され、回路基板１を貫通して前方に延びる回動軸２を有する例えば速度計用の計器本体３と、回動軸２に固着され指示部４を有する指針５と、この指針５の背後に配置され指示部４の指示対象となる例えば車両の速度を現す目盛，数字などの表示部６が設けられた表示板７と、この表示板７と回路基板１との間に配置され表示板７が保持されるケース８と、表示板７周縁の表面側に配置され表示板７の可視領域を定める見返し部材９を備えている。
【００１５】
また、表示板７や見返し部材９の前方側を被い貫通孔１０を有する前面板１１と、回路基板１の裏面側を被う合成樹脂製のカバー１２と、回路基板１に半田付け固定され可動部１３を有するスイッチ１４と、スイッチ１４の可動部１３を押圧操作する操作部材１５と、回路基板１上に実装された光源としての指針用発光ダイオード１６および表示板用発光ダイオード１７などを備えており、夜間などに於いて、各発光ダイオード１６，１７が点灯することで指針５の指示部４および表示板７の表示部６がそれぞれ照明されるようになっている。
【００１６】
ケース８は、遮光性のある例えば白色の合成樹脂からなり、指針用発光ダイオード１６を囲むように表示板７と回路基板１との間に配置された筒部１８と、この筒部１８の周囲に設けられ、表示板用発光ダイオード１７からの光を周囲に反射する第1の反射壁１９と、表示板用発光ダイオード１７周辺から筒部１８を取り巻くように表示板７の周縁側に向かって傾斜して形成された第２の反射部２０と、この第２の反射部２０に設けられ表示板用発光ダイオード１７からの光を操作部材１５に導く採光穴２１と、表示板７が載置される載置部２２と、この載置部２２に設けられ操作部材１５が挿通される穴部２３と、周壁２４などを有している。
【００１７】
操作部材１５は、前面板１１の貫通孔１０に挿通され前方側（計器装置の視認者側）に延びる操作部２５と、表示板用発光ダイオード１７からの光を受光する受光部２６と、この受光部２６から入射した光を操作部２５側に導く導光部２７と、この導光部２７の先端側（操作部２５側）に設けられ、導光部２７内を導かれた光を円錐形の第１反射面２８で反射させ、前面板１１の後面側（表示板７側）から貫通孔１０の周囲に出射させる出射部２９と、導光部２７と受光部２６との間に設けられたガイド部３０と、回路基板１の孔部３１に挿通される軸部３２と、受光部２６と軸部３２との間に設けられスイッチ１４の可動部１３を押す押圧部３３と、導光部２７の周囲に設けられた遮光部３４とを有している。
【００１８】
受光部２６，導光部２７，出射部２９，軸部３２，押圧部３３は無色透明な合成樹脂からなるが、操作部２５，ガイド部３０，遮光部３４は暗色系で不透過性の材料である例えば黒色の合成樹脂からなり、これら（操作部材１５）は一体形成されている。
【００１９】
前面板１１は、透光性である例えば無色透明な合成樹脂からなり、貫通孔１０周囲の前方に突出するリング状の装飾部３５と、貫通孔１０周囲の後方（表示板７側）に突出し、操作部材１５の出射部２９から出射した光を受光するリング状受光部３６を有しており、リング状受光部３６には、リング状受光部３６内に入射した光を装飾部３５側に反射させる反射面３７が設けてある。
【００２０】
操作部材１５は、ケース８と回路基板１との間に保持されるようになっている。即ち、操作部材１５の押圧部３３と回路基板１との間の軸部３２周囲にコイルバネ３８を配置して、コイルバネ３８の反発力によって操作部材１５を前方側に付勢させ、ガイド部３０がケース８の載置部２２に当接することで保持される。スイッチ１４の作動は、操作部材１５を操作することによって行われる。つまり、操作部２５を下方に押すことによってコイルバネ３８が圧縮され、押圧部３３がスイッチ１４の可動部１３を押圧して、例えば走行距離（図示せず）の表示切り換え（液晶表示されるトータル積算値とトリップ積算値の切り換え、あるいはトリップ積算値のゼロセットなど）ができる。
【００２１】
この様に構成した計器装置に於いて、夜間など周囲が暗い時に、例えば白色で発光する表示板用発光ダイオード１７が点灯すると、表示板用発光ダイオード１７からの光はケース８の第1の反射壁１９に反射して第２の反射部２０側に向かい、第２の反射部２０で反射して表示板７の裏面を照射して表示部６を照明するようになる。或いは表示板７の裏面を直射して表示部６を照明する光もある。
【００２２】
この際、ケース８の第1の反射壁１９に反射して第２の反射部２０側に向かった光の一部は、第２の反射部２０に設けられた採光穴２１を通って操作部材１５の受光部２６に入射し、受光部２６内で反射して導光部２７内を操作部２５側に進む。そして、導光部２７内を導かれた光は第１反射面２８で反射して出射部２９から貫通孔１０の周囲に出射される。
【００２３】
そして、出射部２９から出射した光は前面板１１のリング状受光部３６に入射し、反射面３７で反射して貫通孔１０の周囲に突出したリング状の装飾部３５から前方側に出射する。
【００２４】
この様に、可動部１３を有するスイッチ１４と、このスイッチ１４の前方側に配置され貫通孔１０を有する透光性の前面板１１と、可動部１３を操作する操作部材１５と、表示板用発光ダイオード１７とを備え、操作部材１５は、貫通孔１０に挿通され前面板１１の前方側に延びる操作部２５と、表示板用発光ダイオード１７からの光を受光する受光部２６と、この受光部２６から入射した光を操作部２５側に導く導光部２７と、この導光部２７内を導かれた光を前面板１１の後面側から貫通孔１０の周囲に出射させる出射部２９とを有する様に構成したことにより、表示板用発光ダイオード１７からの光が出射部２９から出射して、前面板１１の貫通孔１０周囲を光らせる。よって、夜間など周囲が暗い時であっても操作部材１５の位置が容易に確認でき、スムーズなスイッチ操作が可能な計器装置を得ることができる。
【００２５】
また、前面板１１の貫通孔１０周囲の前方に突出するリング状の装飾部３５を設け、出射部２９から出射した光によって装飾部３５が発光するようにしたことにより、発光する箇所が一定（装飾部３５の厚み分）であり、且つ装飾部３５を除いた前面板１１の他の箇所よりも前面側であるために、デザイン性に優れた計器装置が得られる。
【００２６】
また、前面板１１の貫通孔１０周囲の後方に突出するリング状受光部３６を設け、出射部２９から出射しこのリング状受光部３６から入射した光によって貫通孔１０の周囲が発光するようにしたことにより、表示板用発光ダイオード１７からの光を効率良く貫通孔１０の周囲に導くことができ、操作部材１５周りの貫通孔１０周囲を明るく光らせることができる。従って、夜間など周囲が暗い時であっても操作部材１５の位置が容易に確認できる。
【００２７】
また、操作部材１５を構成する操作部２５を暗色系で不透過性の材料である例えば黒色の合成樹脂とすることによって、周囲が明るい時、例えば操作部２５が無色透明な材料であると操作部２５が認識しにくく違和感があるが、暗色系とすることで操作部２５が視認でき違和感も無い。更に、周囲が暗い時に於いても操作部２５が発光しないため、計器装置の視認性が良い（面積の広い操作部２５が光るようであると、操作部２５に目を奪われがちになる）。なお、暗色系であれば黒色に限定するものではなく、濃灰，濃青，濃茶などであっても良い。
【００２８】
また、導光部２７の周囲に遮光部３４を設けたことにより、導光部２７の周囲から洩れる光を抑えることができ、視認性の良好な計器装置を得ることができる。なお、視認性に悪影響を及ぼさないようであれば遮光部３４は設けなくとも良い。
【００２９】
また、表示部６を有する表示板７と、この表示部６を照明する光源（表示板用発光ダイオード１７）を備えた計器装置であれば、前述した効果に加えて、表示部６を照明する光源からの光を操作部材１５の受光部２６に入射させることで、操作部材１５用の専用光源を必要とせず、コストアップが抑えられる。
【００３０】
図３は、本発明の第２実施形態を示す計器装置の要部詳細断面図である。本実施形態は、前記第１実施形態とは操作部材と前面板が異なるのみのため、前記第１実施形態と同一もしくは相当箇所については同一符号を付し、その詳細説明は省略する。
【００３１】
本実施形態に於ける操作部材１５の導光部２７には、第２反射面３９が設けてある。この第２反射面３９は、導光部２７内を導かれ第１反射面２８で反射した光を貫通孔１０周囲側に反射するものである。また、前面板１１の貫通孔１０周囲には前記第１実施形態の様な装飾部３５やリング状受光部３６は設けられていない。
【００３２】
この様に構成された計器装置に於いて、導光部２７内を導かれた表示板用発光ダイオード１７からの光は、第１反射面２８で反射した後、第２反射面３９に反射して出射部２９から前面板１１の貫通孔１０周囲側に出射する。この出射した光によって貫通孔１０の周囲が発光する。よって、夜間など周囲が暗い時であっても操作部材１５の位置が容易に確認でき、スムーズなスイッチ操作が可能な計器装置を得ることができる。
【００３３】
図４は、本発明の第３実施形態を示す計器装置の要部詳細断面図である。本実施形態は、前記各実施形態とは操作部材と見返し部材が異なる。本実施形態に於ける操作部材１５の導光部２７には遮光部３４が設けられていない。
【００３４】
見返し部材９は、例えば黒色の合成樹脂からなり、表示板７の周縁側を覆うと共に、操作部材１５の周りまで延設されている。そして、見返し部材９には操作部材１５が挿通される穴部２３Ａが設けられ、穴部２３Ａの周縁には前後（前面板１１および表示板７側）に延びる遮光壁４０が一体に設けてある。
【００３５】
この様に構成された計器装置に於いて、導光部２７内を導かれた表示板用発光ダイオード１７からの光は、前記第１実施形態と同様に、第１反射面２８で反射して出射部２９から貫通孔１０の周囲に出射される。そして、出射部２９から出射した光は前面板１１のリング状受光部３６に入射し、反射面３７で反射して貫通孔１０の周囲に突出したリング状の装飾部３５から前方側に出射する。従って、夜間など周囲が暗い時であっても操作部材１５の位置が容易に確認でき、スムーズなスイッチ操作が可能な計器装置を得ることができる。
【００３６】
この際、導光部２７の周囲に遮光部３４が設けてないが、見返し部材９の穴部２３Ａの周縁に遮光壁４０が設けてあるために、遮光壁４０によって導光部２７の周囲から洩れる光を抑えることができ、視認性の良好な計器装置を得ることができる。視認性に悪影響を及ぼさないようであれば遮光壁４０は設けなくとも良い。
【００３７】
なお、本発明は前記各実施形態に限定されるものではなく、各実施形態の組み合わせであっても良い。また、操作部材１５の受光部２６に入射させる光を表示板７を照明する光源からの光としたが、専用の光源を用いても良い。また、スイッチ１４を押圧式としたが回転式であっても良く、或いは両スイッチを備えていても良い。
【図面の簡単な説明】
【００３８】
【図１】本発明の第１実施形態を示す計器装置の部分断面図。
【図２】同計器装置の要部詳細断面図。
【図３】本発明の第２実施形態を示す計器装置の要部詳細断面図。
【図４】本発明の第３実施形態を示す計器装置の要部詳細断面図。
【符号の説明】
【００３９】
６  表示部
７  表示板
１０  貫通孔
１１  前面板
１３  可動部
１４  スイッチ
１５  操作部材
１７  表示板用発光ダイオード（光源）
２５  操作部
２６  受光部
２７  導光部
２９  出射部
３４  遮光部
３５  装飾部
【図１】
2009079971.tif 000003
【図２】
2009079971.tif 000004
【図３】
2009079971.tif 000005
【図４】
2009079971.tif 000006